(57)【特許請求の範囲】
【請求項１】
ケース本体の内部に電磁石と、磁性体若しくは永久磁石体を固着した振動片と、振動片により駆動されるダイヤフラムとを設け、電磁石の電磁力により振動片を介してダイヤフラムを駆動することにより、ケース本体内へ導入した空気を空気吸引口を通してダイヤフラム室へ吸引すると共に、ダイヤフラム室内の空気を空気吐出口を通してケース本体の外方へ吐出する構成としたエアーポンプに於いて、前記ケース本体の内部空間を吸入空気消音室と吐出空気消音室とエアーポンプ室の三室に区分すると共に、空気導入口及び空気導出口の部分を除いて内部を密封状態とし、前記空気導入口を通して外部より吸入空気消音室内へ導入した空気をエアーポンプ室内に設けたダイヤフラムの空気吸引口を通してダイヤフラム室内へ吸入並びにダイヤフラム室内の空気を空気吐出口を通して吐出空気消音室内へ吐出し、吐出空気消音室から空気をエアーポンプ室内を通してケース本体外へ導出する構成としたことを特徴とするエアーポンプ。
【請求項２】
本体ケースの壁面に形成した空気吸引通路を通して吸入空気消音室からダイヤフラムの空気吸引口へ空気を吸引すると共に、本体ケースの壁面に形成した空気吐出通路を通してダイヤフラムの空気吐出口から吐出空気消音室へ空気を吐出するようにした請求項１に記載のエアーポンプ。
【請求項３】
蓋体の内部に形成した吐出空気連通路を通して吐出空気消音室から空気をエアーポンプ室へ導出するようにした請求項１に記載のエアーポンプ。
【請求項４】
ケース本体の内部に電磁石と、磁性体若しくは永久磁石体を固着した振動片と、振動片により駆動されるダイヤフラムとを設け、電磁石の電磁力により振動片を介してダイヤフラムを駆動することにより、ケース本体内へ導入した空気を空気吸引口を通してダイヤフラム室へ吸引すると共に、ダイヤフラム室内の空気を空気吐出口を通してケース本体の外方へ吐出する構成としたエアーポンプに於いて、前記ケース本体の内部空間を吸入空気消音室と吐出空気消音室とエアーポンプ室の三室に区分すると共に、エアーポンプ室と吸入空気消音室とを連通して空気導入口及び空気導出口の部分を除いて内部を密封状態とし、前記空気導入口を通して外部よりエアーポンプ室内へ吸入した空気を吸入空気消音室内へ導入すると共に、当該吸入空気消音室内へ導入した空気をエアーポンプ室内に設けたダイヤフラムの空気吸引口を通してダイヤフラム室内へ吸入並びにダイヤフラム室内の空気を空気吐出口を通して吐出空気消音室内へ吐出し、吐出空気消音室からケース本体外へ空気を導出する構成としたことを特徴とするエアーポンプ。
【発明の詳細な説明】
【０００１】
【発明の属する技術分野】
本発明はエアーポンプの改良に関するものであり、特に鑑賞魚の飼育用水槽や水生植物の栽培用水槽等の内部へ新鮮空気を供給するために使用するエアーポンプに於いて、消音用の部材を特別に組付けすることなしにポンプのケース本体を利用してその内部に膨張形消音室を形成することにより、簡単な構造でもって大幅な低騒音化を可能としたものである。
【０００２】
【従来の技術】
近年、一般家庭や事務所、ホテル等では鑑賞魚等の飼育が広く行なわれており、何れもエアーポンプを用いて水槽内へ新鮮空気を供給することにより、鑑賞魚等の飼育を行なっている。
【０００３】
図１１及び図１２は、上記鑑賞魚等の飼育に使用されているエアーポンプの一例を示すものであり、裏面側を開放状としたプラスチック製のケース本体１の内部に電磁石２と、先端に永久磁石３を固定した振動片４と、振動片４により駆動されるダイヤフラム５等を配設すると共に、ケース本体１の裏面側開放部に蓋体６を着脱自在に嵌合して当該開放部を密閉することにより、エアーポンプＰが形成されている。
尚、図１１及び図１２に於いて、５ａはダイヤフラムポンプを構成する伸縮自在なゴム製のダイヤフラム室、５ｂは吸入弁、５ｃは吐出弁、７は空気導入口、８は空気吸引口、９は空気吐出口、１０は振動片の支点、１１は電源コード、１２は送気用パイプである。
【０００４】
而して、電源コード１１を介して交流電圧を印加すると電磁石２が作動し、電磁石２と永久磁石３間に作用する電磁力によって振動片４が矢印方向に振動する。その結果、振動片４へ一端が固定された袋状のゴム製のダイヤフラム室５ａが交互に圧縮（減容積）と引張（増容積）の作用を受け、これに伴なってダイヤフラム室５ａ内の空気が圧縮・膨張し、引張（増容積）時には吸入弁５ｂが開いて吐出弁５ｃが閉となって空気Ａがダイヤフラム室５ａ内へ吸入されると共に、圧縮時（減容積）には吸入弁５ｂが閉じて吐出弁５ｃが開となってダイヤフラム室５ａ内の空気Ａが空気吐出口９よりケース本体１の外部へ送出される。
【０００５】
上記図１１及び図１２の如き構成のエアーポンプＰは、構造が簡単で安価に製造できるうえ、空気吐出量がほぼ一定の安定した運転ができると云う優れた効用を有している。
しかし、この種のエアーポンプＰにも多くの問題点が残されており、その中でも特に重要な問題は、騒音が比較的高いと云う点である。
即ち、昼間等の周囲環境の騒音レベルが比較的高い場合には、エアーポンプＰの騒音が問題になることはあまりない。ところが、夜間等の周囲環境の騒音レベルが低い場合には、エアーポンプＰの騒音が無視できないような騒音源になり、睡眠・団らん・仕事・勉強等を妨げたり、人に煩らわしさを感じさせたりすることになる。
【０００６】
そのため、エアーポンプＰの技術分野に於いては、ポンプ騒音の低下を図るため、これ迄に様々な工夫が行なわれてきた。例えば、▲１▼ケース本体１の気密性を高めて騒音の外部への漏洩を防止する方法、▲２▼電磁石２やダイヤフラム５を防振材を介してケース本体１へ固着する方法及び▲３▼前記▲１▼及び▲２▼の両方を実施する方法等の工夫が現実に採用されている。
【０００７】
而して、上記三種類の騒音防止策の内、現実に最も多く採用されている方法はケース本体１の内部の気密性を高める方法である。この場合、ケース本体１内への空気の取入口７は密閉することが出来ないため、ここには通気性のフィルター材（例えばガラス繊維等）を充填すると共に、ケース本体１と蓋体６の嵌合部や本体１及び蓋体６の貫孔部には、シリコーン樹脂等のシール材を介設若しくは充填し、これによってケース本体１の内部空間の気密性を高める構成が採用されている。
【０００８】
上記密閉構成を採用することにより、エアーポンプＰの発生騒音は相当程度引き下げられる。
図１３は従来の非密閉型エアーポンプＰの騒音測定値であり、また、図１４は同一エアーポンプＰに於いて、シリコーン樹脂シール材を充填して密閉型構造としたエアーポンプＰの騒音測定値である。尚、図１３及び図１４はポンプの出口にサイレンサーを取り付けした状態で無騒音室内に於いて測定したものである。
【０００９】
図１３と図１４の対比からも明らかなように、密閉型構造のエアーポンプＰとした場合には、６０Ｈｚに於いては僅かに、また２００Ｈｚ以上の周波数領域では大幅に騒音が下がっていることが判る。
これに対して、６０Ｈｚ〜２００Ｈｚの低周波数領域の騒音はあまり低下せず、相当程度の騒音が残ってくる。そのため、実際に人間の耳で聴いた場合に、周囲環境が比較的静かな夜間等に於いては、これが相当に大きな騒音となり、従って、単に密閉構造とするだけでは、騒音問題を基本的に解決するものとは到底云えない状態にある。
【００１０】
一方、前記第２の騒音低減方法では、一般にダイヤフラム５や電磁石２を防振ゴム等を介してケース本体１へ固定すると共に、エアーポンプＰの基台の役目をするケース本体１の蓋体６をゴム製としてこれに振動吸収用の構造上の工夫を加えることにより、騒音を引下げるようにしている。
ところで、上記防振ゴム等を用いてダイヤフラム５や電磁石２の振動を押さえることにより騒音源を弱めようとする方法は、回転伝搬音の方は低下するものの空気伝搬音の低下はそれほど期待することができない。従って、現実にこの種の防振型エアーポンプＰの騒音測定をした場合には、前記密閉型構造としたエアーポンプＰの場合と同程度の騒音引下げ効果しか得られず、部品点数が増えて製造コストが上昇する割には、満足すべき程度にまで騒音を引下げすることができないと云う結果になっている。
【００１１】
更に、本願発明者は、この種のエアーポンプＰに於ける騒音の発生源は単に電磁石２等の振動によるものだけでなく、ダイヤフラム５の吸入弁５ｂや吐出弁５ｃが大きな騒音発生源になっていることを見出し、これ等の知見を基にして、ケース本体１内に約３０〜５０ｃｍ程度の合成樹脂製パイプを配設し、このパイプを通してケース本体１内へ導入した空気をポンプのダイヤフラム室５ａへ吸引するようにした構成の低騒音型エアーポンプを別に開発している。
【００１２】
前記合成樹脂製ホースを用いる方法はエアーポンプＰの騒音を大幅に低下させることができ、優れた実用的効用を奏するものであることが判っている。
しかし、ケース本体１内へ合成樹脂製ホースを収納するためには、巻取用ボビン及びこれを保持するための保持用部材を別途に必要とするうえ、合成樹脂製ホースとケース本体１との接触が新たな騒音の原因になるため合成樹脂製ホースを巻き取りしたボビンの組付けを正確に行なわねばならず、エアーポンプＰの組立に手数が掛かると云う難点がある。
また、エアーポンプＰの吐出側の騒音は別途に膨張型消音器等を用いて引下げしなければならないため、ポンプの付属品のコストが高騰することになる。
【００１３】
【発明が解決しようとする課題】
本発明は、従前のエアーポンプに於ける上述の如き問題、即ち▲１▼密閉構造や防振材を用いた構造にするだけでは、約２００Ｈｚ以下の領域の騒音を十分に低減させることが困難で、依然として騒音の問題が残ること、▲２▼防振材を用いた場合や合成樹脂製パイプを消音器としてケース本体内へ収納する場合には、部品点数が増えてポンプの製造コストの上昇を招くこと等の問題を解決せんとするものであり、現存するエアーポンプに大きな構造的変更を加えることなしに、低周波数から高周波数の範囲に亘って確実に騒音の大幅な引下げを可能としたエアーポンプを提供するものである。
【００１４】
【課題を解決するための手段】
上記課題を解決するため、本願請求項１の発明に於いては、ケース本体の内部に電磁石と、磁性体若しくは永久磁石体を固着した振動片と、振動片により駆動されるダイヤフラムとを設け、電磁石の電磁力により振動片を介してダイヤフラムを駆動することにより、ケース本体内へ導入した空気を空気吸引口を通してダイヤフラム室へ吸引すると共に、ダイヤフラム室内の空気を空気吐出口を通してケース本体の外方へ吐出する構成としたエアーポンプに於いて、前記ケース本体の内部空間を吸入空気消音室と吐出空気消音室とエアーポンプ室の三室に区分すると共に、空気導入口及び空気導出口の部分を除いて内部を密封状態とし、前記空気導入口を通して外部より吸入空気消音室内へ導入した空気をエアーポンプ室内に設けたダイヤフラムの空気吸引口を通してダイヤフラム室内へ吸入並びにダイヤフラム室内の空気を空気吐出口を通して吐出空気消音室内へ吐出し、吐出空気消音室から空気をエアーポンプ室内を通してケース本体外へ導出することを、発明の基本構成とするものである。
【００１５】
請求項２の発明は、請求項１の発明に於いて、本体ケースの壁面に形成した空気吸入通路を通して吸入空気消音室からダイヤフラムの空気吸引口へ空気を吸引すると共に、本体ケースの壁面に形成した空気吐出通路を通してダイヤフラムの空気吐出口から吐出空気消音室へ空気を吐出するようにしたものである。
【００１６】
請求項３の発明は、請求項１の発明に於いて、蓋体の内部に形成した吐出空気連通路を通して吐出空気消音室から空気をエアーポンプ室へ導出するようにしたものである。
【００１７】
請求項４の発明は、請求項１の発明に於いて、ケース本体の内部に電磁石と、磁性体若しくは永久磁石体を固着した振動片と、振動片により駆動されるダイヤフラムとを設け、電磁石の電磁力により振動片を介してダイヤフラムを駆動することにより、ケース本体内へ導入した空気を空気吸引口を通してダイヤフラム室へ吸引すると共に、ダイヤフラム室内の空気を空気吐出口を通してケース本体の外方へ吐出する構成としたエアーポンプに於いて、前記ケース本体の内部空間を吸入空気消音室と吐出空気消音室とエアーポンプ室の三室に区分すると共に、エアーポンプ室と吸入空気消音室とを連通して空気導入口及び空気導出口の部分を除いて内部を密封状態とし、前記空気導入口を通して外部よりエアーポンプ室内へ吸入した空気を吸入空気消音室内へ導入すると共に、当該吸入空気消音室内へ導入した空気をエアーポンプ室内に設けたダイヤフラムの空気吸引口を通してダイヤフラム室内へ吸入並びにダイヤフラム室内の空気を空気吐出口を通して吐出空気消音室内へ吐出し、吐出空気消音室からケース本体外へ空気を導出する構成としたことを発明の基本構成とするものである。
【００２１】
エアーポンプＰが作動すると、ダイヤフラム５の吸入弁５ｂや吐出弁５ｃが作動し、これによって空気が脈動して騒音が発生する。
而して、前記吸入弁５ｂ及び吐出弁５ｃの作動により発生した騒音は、空気吸引口８及び空気吐出口９の内方へ夫々伝播されるが、空気吸引口８の方向へ伝播した騒音は空気吸入通路１５及び吸入空気消音室１２内を伝播する間に減衰し、騒音は大きく低減することになる。
同様に、空気吐出口９の内方へ伝播した騒音は、吐出空気通路１６、吐出空気消音室１３、吐出空気連通路１７及びエアーポンプ室１８内を伝播する間に減衰する。このように、上記各減衰が加算されることにより、騒音は大きく減衰することになる。
【００２２】
また、ケース本体１内の電磁石２や振動片４、ダイヤフラム５等の振動により発生する騒音は、ケース本体１の内部の気密性が高いために外部へ殆んど洩出せず、遮音される。更に、ケース本体１そのものの振動に起因する固体伝搬音は、弾力性を有する基台を兼ねる蓋体６により吸収され、その結果騒音の発生要因は低減する。
加えて、ケース本体１と蓋体６との間に介挿したシール材１４の外周端縁がケース本体１よりも若干外方へ突設されているため、ポンプＰの振動によってケース本体が他の外部物体へ接触するようなことがあっても、弾性体であるシール材１４の端縁によって騒音の発生が防止される。
【００２３】
その結果、エアーポンプＰ自体から生ずる騒音は、従前のこの種ポンプに比較して極めて小さくなり、夜間等の静かな環境下においてポンプの運転を行なっても、ポンプ騒音によって人が睡眠を妨害されたり不快感を感じることは殆んどなくなる。
【００２４】
【発明の実施の形態】
以下、図１乃至図１０に基づいて本発明の実施の形態を説明する。尚、図１乃至図１０に於いて、従前のエアーポンプと同じ部材には、図１１及び図１２の場合と同じ参照番号を使用するものとする。
図１乃至図６は本発明の第１実施態様を示すものである。又、図１は、本発明の実施形態に係るエアーポンプＰの正面図であり、図２は、図１の蓋体６を取り外した状態を示す底面図、図３は図１のＡ−Ａ矢視断面図である。
図１乃至図３に於いて、Ｐはエアーポンプ、Ａは空気、１はケース本体、２は電磁石、３は永久磁石、４は振動片、５はダイヤフラム、５ａはダイヤフラム室、５ｂは吸入弁、５ｃは吐出弁、６は蓋体、７は空気導入口、７ａはフィルター、８は空気吸引口、９は空気吐出口、１０は振動片支持点、１１は電源コード、１２は吸入空気消音室、１３は吐出空気消音室、１４はシール部材、１５は空気吸入通路、１６は吐出空気通路、１７は吐出空気連通路、１８はエアーポンプ室、１９はゴム製クッションである。
【００２５】
当該エアーポンプＰは、ケース本体１の内部に吸入空気消音室１２と吐出空気消音室１３を夫々設け、空気吸引口８と空気吐出口９に連通する各消音室１２・１３を所謂膨張型サイレンサーとして利用する構成とした点を除いて、その他の構成は公知のエアーポンプと全く同一である。従って、エアーポンプＰそのものの構成並びに作動については説明を省略する。
尚、図１乃至図３に於いてはポンプＰの駆動部に永久磁石３を使用しているが、永久磁石３を磁性材例えば軟鋼片としてもよいことは勿論である。同様に、本実施形態ではダイヤフラム室５ａをゴム製としているが、これを弾性を有する合成樹脂製又は金属薄板材製としてもよい。
更に、蓋体６も合成樹脂製に代えて弾性を有するゴム材製としてもよい。
【００２６】
前記ケース本体１は図４及び図５に示す如く、その内部が隔壁２０ａ・２０ｂ・２０ｃにより吸入空気消音室１２と吐出空気消音室１３とエアーポンプ室１８の三区画に区分されている。
また、吸入空気消音室１２とエアーポンプ室１８とは本体ケース１の天井壁と側壁内に設けた空気吸入通路１５を通して連通されており、空気吸入通路１５のエアーポンプ室１８側の端部は、ポンプＰのダイヤフラム５をエアーポンプ室１８内へ取付け固定した際に、ダイヤフラム５の空気吸引口８と連通自在な位置に開口されている。
【００２７】
同様に吐出空気消音室１３とエアーポンプ室１８とは本体ケース１の天井壁及び側壁内に設けた吐出空気通路１６を通して連通されており、吐出空気通路１６のエアーポンプ室１８側の端部は、ポンプＰのダイヤフラム５をエアーポンプ室１８内へ取付け固定した際に、ダイヤフラム５の空気吐出口９と連通自在な位置に開口されている。
【００２８】
前記蓋体６は合成樹脂から形成されており、図６に示す如く空気導入口７と電源コードの引出穴２３が穿設されている。
また、蓋体６の肉厚内には、蓋体６を本体ケース１へ取付けした際に吐出空気消音室１３とエアーポンプ室１８とを連通する吐出空気連通路１７が穿設されている。
尚、図４乃至図６に於いて２１は蓋取付け用ねじ孔、２２はねじ挿通孔である。
【００２９】
次に、本発明のエアーポンプＰの作動について説明する。
ポンプＰのダイヤフラム５が作動することにより、蓋体６の空気導入口７を通して吸入空気消音室１２内へ流入した空気Ａが、空気吸入通路１５、空気吸引口８、吸入弁５ｂを通してダイヤフラム室５ａ内へ吸引される。
また、ダイヤフラム室５ａ内へ吸引された空気Ａはダイヤフラムの作動により吐出弁５ｃ、空気吐出口９、吐出空気通路１６を通してダイヤフラム室５ａから吐出空気消音室１３内へ放出され、更に吐出空気消音室１３から蓋体６内の吐出空気連通路１７を通してエアーポンプ室１８内へ流入し、空気導出口２４である出口パイプ及びこれに接続された吐出用ホース（図示省略）を通して水槽内へ供給されて行く。
【００３０】
ポンプＰのダイヤフラム５の作動、特に吸入弁５ｂや吐出弁５ｃの作動により発生した騒音は、空気吸引口８及び空気吐出口９を通して吸入空気消音室１２と吐出空気消音室１３側へ夫々伝達されて行くが、各消音室１２、１３内への連通点で空気流や音波の流れが通路の膨張によってその連続性が断たれ、外部（空気導入口７及び空気導出口２４）への音の漏出が大幅に減少する。
【００３１】
また、ケース本体１と蓋体６との間はシール材１４を介して気密が確保されており、且つ空気導入口７にはウール又は合成樹脂繊維製のフィルター７ａが充填されているため、エアーポンプ室１８内に於いてポンプ駆動部の振動により発生した騒音も、効果的にエアーポンプ室１８内で減音されることになる。
【００３２】
前記吸入空気消音室１２及び吐出空気消音室１３の大きさは、夫々膨張型消音室を形成するものであるからその内容積が大きいほど好都合であるが、後述するようにケース本体１の全内容積の１／５〜１／８位いの内容量が各々にあれば、十分な騒音の引下げが可能となる。
【００３３】
尚、本実施態様に於いては、ポンプＰの容量を約１０００ｃｃ／ｍｉｎ（空気吐出量）程度、空気ホースの内径約３ｍｍφとしてケース本体１の全内容積を約１８０ｃｃに選定しており、これをエアーポンプ室１８に約１２５ｃｃ、吸入空気消音室１２に約２５ｃｃ、吐出空気消音室１３に約３０ｃｃの割合で分配している。
また、本実施態様では、吐出空気消音室１３から吐出空気連通路１７を通して吐出空気をエアーポンプ室１８へ導出し、ここから空気導出路（出口パイプ）２４を通して外部へ導出するようにしているが、消音室１３から直接に外部へ吐出空気を導出することも可能である。
更に、本実施態様では前記ケース本体１の空気導入口７に合成繊維製のフィルター７ａを設けているが、これに代えて吸音性に優れた発泡アルミニウムを充填することにより、空気導入口７を所謂消音構造に形成するようにしてもよい。
【００３４】
加えて、本実施態様に於いては、吸入空気消音室１２内へ吸入した空気をダイヤフラム室５へ導入し、ダイヤフラム室５からの加圧空気を吐出空気消音室１３（又は吐出空気消音室１３からエアーポンプ室１８）へ導出し、ここから外部へ空気を導出する構成としているが、エアーポンプ室１８を吸入空気の消音室として活用するためにエアーポンプ室１８と吸入空気消音室１２とを連通し、エアーポンプ室１８内へ吸入した空気を吸入空気消音室１２を通してダイヤフラム室５ａの空気吸引口８へ、若しくは吸入空気消音室１２内へ吸入した空気をエアーポンプ室１８を通してダイヤフラム室５ａの空気吸引口８へ導入するようにしてもよい。
【００３５】
図８乃至図１０は本発明の第２実施態様を示すものであり、図８はケース本体１の蓋体を外した状態における底面図、図９は図７のＡ−Ａ視断面図、図１０は蓋体の底面図である。
【００３６】
本第２実施態様では、ケース本体１の内部がエアーポンプ室１８と吐出空気消音室１３の２室に区画されており、且つエアーポンプ室１８が吸入空気消音室１２を兼ねるようになっている。
また、この第２実施態様では、空気吸入通路１５及び空気吐出通路１６が蓋体６の肉厚内に形成されており、▲１▼前記ケース本体１内が２室に区画され、エアーポンプ室１８と吸入空気消音室１２が兼用となっている点及び▲２▼空気吸入通路１５及び空気吐出通路１６が蓋体６に形成されている点を除いて、その他の点は前記第１実施態様の場合と全く同様である。
【００３７】
図８乃至図１０を参照して、蓋体６の空気導入口７から吸入された空気は、吸入空気消音室１２を兼ねるエアーポンプ室１８内へ放出され、蓋体６の肉厚内に形成された吸入空気通路１５及びエアーポンプＰの空気吸引口８を通してダイヤフラム室５ａ（図示省略）内へ吸引される。
また、ダイヤフラム室５ａから空気吐出口９及び吐出空気通路１６を通して圧送された空気は、吐出空気消音室１３内へ放出され、該吐出空気消音室１３内と連通する空気導出口２４を通して外部へ吐出されて行く。
【００３８】
尚、第２実施態様ではエアーポンプ室１８を吸入空気消音室１２として兼用するようにしているが、エアーポンプ室１８を吐出空気消音室として兼用し、図８の吐出空気消音室１３を吸入空気消音室としてここから外気を吸入するようにすることも勿論可能である。
【００３９】
図７は本実施態様に係るエアーポンプＰと前記図１０に示した従前の非密閉型エアーポンプとの騒音特性を示すものである。
本実施態様に係るエアーポンプＰと従前の非密閉型エアーポンプのポンプ部（ダイヤフラム部及び駆動部）は夫々全く同一であり、且つケース本体１の総容積（外形寸法）も同一に選定されている。
また、騒音特性の測定は、同一の測定装置を用い、同一の場所（無騒音室）でマイクロホンとポンプ間の距離も同一（約１５ｃｍ及び約５０ｃｍ）とし、且つ従来品の場合には吐出側の開口に容量約１５ｃｃの膨張型消音器を取り付けした状態で測定したものである。
【００４０】
図７の曲線Ａは、非密閉型ポンプＰをマイク間の距離を１５ｃｍとして測定したＦ特性を示すものである。
また曲線Ｂ及びＣは、本発明のポンプＰとマイク間の距離を１５ｃｍ及び５０ｃｍとして測定したＦ特性を示すものである。
更に、曲線Ｄは本発明のポンプＰとマイク間の距離を５０ｃｍとして測定したＡ特性を示すものである。
尚、前記Ｆ特性はフラット特性と云われるものであり、騒音を物理的な音圧で測定表示したものである。
また、前記Ａ特性は、実際に人間の耳が感じる騒音を考慮して特性を表示したものであり、現実の騒音特性としては当該Ａ特性で表示されたものが重要であって、例えば寝室の場合には、その騒音がＡ特性で３０ｄＢ以下の騒音であれば、人は騒音を全く気にしないで十分に安眠をすることができる。
【００４１】
前記図７の曲線Ａと曲線Ｂとの対比からも明らかなように、本発明に係るエアーポンプＰでは騒音値を従来品に比較して大幅に低下させることができる。
また、Ａ特性で測定した曲線Ｄからも明らかなように、騒音値の平均は、２００Ｈｚ以下の低周波領域に於いてほぼ１５〜２０ｄＢに、また、２００Ｈｚ以上の高周波領域に於いては５〜１０ｄＢとなっており、その結果、夜間等の周囲環境が静かなときにエアーポンプを運転しても、騒音は殆んど感ぜられず、騒音による不快感も全く感じない状態となる。
【００４２】
尚、前記図１０は第１実施態様に係るエアーポンプの騒音特性を示すものであるが、試験の結果によれば、第２実施態様に係るエアーポンプの騒音特性は第１実施態様のエアーポンプの騒音特性とほぼ同じような特性となり、夜間等の周囲環境が静かなときにエアーポンプを運転しても、騒音による不快感を感じることが全く無い状態となる。
【００４３】
【発明の効果】
請求項１の発明では、ケース本体１の内部を吸入空気消音室と吐出空気消音室とエアーポンプ室の三室に夫々区分し、外部からの空気を膨張式の吸入空気消音室を通してダイヤフラム室内へダイヤフラム室からの空気を吐出空気消音室を通して外部へ吐出するようにしているため、ダイヤフラム部に於いて発生した騒音は何れかの消音室で有効に消音されることになり、外部消音器等を必要とすることなしにエアーポンプの騒音を経済的にしかも騒音を殆んど感じられない程度にまで引下げることができる。
【００４４】
また、請求項２の発明では空気吸入通路及び空気吐出通路をケース本体の壁面にこれと一体的に形成しているため、エアーポンプの組立等に手数がかかることは全くなく、その結果エアーポンプをより安価に製造することができる。
【００４５】
請求項３の発明では、蓋体の内部に形成した吐出空気連通路を通して吐出空気消音室から空気をエアーポンプ室へ導出するようにしているため、エアーポンプの構造をより簡単化することができる。
【００４６】
請求項４の発明においては、エアーポンプ室と吸入空気消音室とを連通して、空気導入口を通してエアーポンプ室内へ吸入した空気を吸入空気消音室内へ導入すると共に、当該空気をエアーポンプ室内に設けたダイヤフラムの空気吸引口を通してダイヤフラム室内へ吸入並びにダイヤフラム室内の空気を空気吐出口を通して吐出空気消音室内へ吐出し、吐出空気消音室からケース本体外へ空気を導出する構成としているため、エアーポンプの構造より一層簡単化できると共に、請求項１の発明とほぼ同じ騒音の引下げ効果を発揮することができる。
本発明は簡単な構成でもって、エアーポンプの製造コストの上昇を招くことなく経済的に騒音の引下げができると云う優れた実用的効用を奏するものである。
【図面の簡単な説明】
【図１】本発明の実施形態に係るエアーポンプの正面図である。
【図２】図１の蓋体を外した状態における底面図である。
【図３】図１のＡ−Ａ矢視断面概要図である。
【図４】本体ケースの底面図である。
【図５】図４のＡ−Ａ線に於けるケース本体の縦断面図である。
【図６】底蓋の底面図である。
【図７】本発明のポンプと従前の非密閉型エアーポンプの騒音特性を示すものである。
【図８】第２実施態様に係るエアーポンプのケース本体の底面図である。
【図９】図７のＡ−Ａ視断面図である。
【図１０】第２実施態様に係るエアーポンプの蓋体の底面図である。
【図１１】従前のエアーポンプの蓋体を取り外した状態を示す底面図である。
【図１２】図８のＡ−Ａ視断面概要図である。
【図１３】従前の非密閉型エアーポンプの騒音測定図である。
【図１４】従前の密閉型エアーポンプの騒音測定図である。
【符号の説明】
Ｐはエアーポンプ、Ａは空気、１はケース本体、２は電磁石、３は永久磁石体（磁性体）、４は振動片、５はダイヤフラム、５ａはゴム製ダイヤフラム室、５ｂは吸入弁、５ｃは吐出弁、６は蓋体、７は空気導入口、７ａはフィルター、８は空気吸引口、９は空気吐出口、１０は振動片の支点、１１は電源コード、１２は吸入空気消音室、１３は吐出空気消音室、１４はシール材、１５は空気吸入通路１５、１６は吐出空気通路、１７は吐出空気連通路、１８はエアーポンプ室、１９はゴム製クッション、２０ａ・２０ｂ・２０ｃは隔壁、２１は蓋取付け用ねじ穴、２２はねじ挿通孔、２３は電源コードの引出し穴、２４は空気導出口。
【図１】
0003808960.tif 000002
【図２】
0003808960.tif 000003
【図３】
0003808960.tif 000004
【図４】
0003808960.tif 000005
【図５】
0003808960.tif 000006
【図６】
0003808960.tif 000007
【図７】
0003808960.tif 000008
【図８】
0003808960.tif 000009
【図９】
0003808960.tif 000010
【図１０】
0003808960.tif 000011
【図１１】
0003808960.tif 000012
【図１２】
0003808960.tif 000013
【図１３】
0003808960.tif 000014
【図１４】
0003808960.tif 000015